(57)【特許請求の範囲】
【請求項１】
支柱上に固定された発電機の上部に回転可能に立設された縦主軸に１個の円盤状の中間取付部材が固定されており、当該中間取付部材における放射方向へ突出する水平で複数の支持腕の各先端に、複数の揚力型の縦長ブレードの各ほぼ垂直な主部における高さの中間の内側面が固定され、かつ該各ほぼ垂直な主部の横断面におけるその前縁と後縁が、前記縦主軸を中心とする前記ほぼ垂直な主部の回転円弧Ｔ上に位置するように配置され、前記各ほぼ垂直な主部の上部にそれぞれ連続して形成される先端を縦軸方向へ弧曲する上内向弧曲部の先端部は、前記縦軸の上部にそれぞれ固定された取付部材にその先端部の前縁が、後縁よりも上向きに傾斜するように固定され、前記各ほぼ垂直な主部の下部にそれぞれ連続して形成された先端を縦軸方向へ弧曲する各下内向弧曲部の先端部は、前記発電機を支持する支柱の外周に水平に配置される環状取付部材にその先端部の前縁が後縁よりも下向きに傾斜するように一体に固定され、前記各縦長ブレードの弦長は上下に同長とし、
前記各上下の内向弧曲部は、前記各ほぼ垂直な主部との境界部分から各上下内向孤曲部の先端部へかけて、それぞれ縦主軸に近づくに従って、各ほぼ垂直な主部の回転方向に対して、各上下内向孤曲部における各前縁を後縁よりも次第に外側向き傾斜とし、前記各上下の内向弧曲部の先端面は、その先端面における前縁を、後縁よりも外向きに傾斜させてなることを特徴とする縦軸ロータ。
【発明の詳細な説明】
【技術分野】
【０００１】
本発明は、回転性能に優れ、強風や強い水流にもブレードが破損しにくい、風水力用の縦軸ロータに関する。
【背景技術】
【０００２】
縦長ブレードを備える風力発電装置は、例えば特許文献１に記載されている。その縦長ブレードは、単に平板を曲げただけのもので、縦軸周りに複数枚が固定されているものである。
【先行技術文献】
【特許文献】
【０００３】
【特許文献１】特開２０１２−００２０６９号
【発明の概要】
【発明が解決しようとする課題】
【０００４】
特許文献１に記載の縦長ブレードは、板状のものであり、かつ回転時におけるその内面は、上下の全長に亘って、一定の迎角とされている。
そのため、縦長ブレードの上部と下部を通過する気流は、コアンダ効果によって、縦長ブレードの中心方向へ集まろうとして、回転に資する力が無駄になる。
本発明は、このような欠点を改善し、軽量で高速回転をする風水力用の縦軸ロータを提供することを目的としている。
【課題を解決するための手段】
【０００５】
本発明は前記課題を解決するために、次のような技術的手段を講じた。      
【０００６】
（１）  支柱上に固定された発電機の上部に回転可能に立設された縦主軸に１個の円盤状の中間取付部材が固定されており、当該中間取付部材における放射方向へ突出する水平で複数の支持腕の各先端に、複数の揚力型の縦長ブレードの各ほぼ垂直な主部における高さの中間の内側面が固定され、かつ該各ほぼ垂直な主部の横断面におけるその前縁と後縁が、前記縦主軸を中心とする前記ほぼ垂直な主部の回転円弧Ｔ上に位置するように配置され、前記各ほぼ垂直な主部の上部にそれぞれ連続して形成される先端を縦軸方向へ弧曲する上内向弧曲部の先端部は、前記縦軸の上部にそれぞれ固定された取付部材にその先端部の前縁が、後縁よりも上向きに傾斜するように固定され、前記各ほぼ垂直な主部の下部にそれぞれ連続して形成された先端を縦軸方向へ弧曲する各下内向弧曲部の先端部は、前記発電機を支持する支柱の外周に水平に配置される環状取付部材にその先端部の前縁が後縁よりも下向きに傾斜するように一体に固定され、前記各縦長ブレードの弦長は上下に同長とし、
前記各上下の内向弧曲部は、前記各ほぼ垂直な主部との境界部分から各上下内向孤曲部の先端部へかけて、それぞれ縦主軸に近づくに従って、各ほぼ垂直な主部の回転方向に対して、各上下内向孤曲部における各前縁を後縁よりも次第に外側向き傾斜とし、前記各上下の内向弧曲部の先端面は、その先端面における前縁を、後縁よりも外向きに傾斜させてなることを特徴とする縦軸ロータ。
【発明の効果】
【０００７】
本発明によると、次のような効果が奏せられる。
【０００８】
前記（1）に記載の発明における縦軸ロータの縦長ブレードが長い時には、発電機の上方に縦主軸を長く突設しなければならない。
その場合には縦主軸の径を太くすると、発電機にかかる負担が大となるので、縦主軸の長さを短くして、縦長ブレードの下端部分を、発電機の位置よりも下位の支柱部分にしたもので、支柱の周囲に配置する環状取着部材に、下内向弧曲部の下端部を固定することによって、複数の縦長ブレードを一体化して、ぐらつきをなくすことが出来る。
上下の内向弧曲部の前縁は、ほぼ垂直な主部との境界から、上下の内向弧曲部の端部へかけて、迎角を次第に大としてあるので、上下の内向弧曲部では、その表面に沿ってコアンダ効果により高速となって、内側方向へ向いて通過することになり、その反作用で高速回転し、ブレード全体の速度を高速化させる。
【図面の簡単な説明】
【０００９】
【図１】本発明の風力用の縦軸ロータの実施例１の正面図である。
【図２】図１の平面図である。
【図３】本発明の縦軸ロータにおける縦長ブレードの正面図である。
【図４】図３におけるIV−IV線断面図である。
【図５】図３における右側面図である。
【図６】図３における左側面図である。
【図７】本発明の縦軸ロータにおける縦長ブレードの背面図である。
【図８】図７におけるVIII−VIII線断面図である。
【図９】図７におけるIX−IX線断面図である。
【図１０】本発明の縦軸ロータの縦長ブレードの実施例２の正面図である。
【発明を実施するための形態】
【００１０】
本発明の一実施形態を、図面を参照して説明する。
図１において、縦軸ロータ１は、支柱２上に固定された発電機３を貫通して、回転可能に立設された縦主軸４に、複数（図では３枚）の揚力型の縦長ブレード５が配設されている。
【００１１】
各縦長ブレード５は、ほぼ垂直な主部５Ａの上下部から、縦主軸４の方向へ長く弧曲する上内向弧曲部５Ｂと、下内向弧曲部５Ｃとから形成され、上内向弧曲部５Ｂは、縦主軸４の上端部に固定された取着部材６に固定され、主部５Ａの左側面５Ｇ（内面）中間部を、縦主軸４に固定された中間取着部材７における、放射方向へ突出する支持腕７Ａの先端部に固定されている。
下内向弧曲部５Ｃの先端部は、支柱２に接触しないように、支柱２の外面に配置された環状取着材８に固定されている。 
【００１２】
支柱２の下部には、図示しない蓄電池が納められ、縦軸ロータ１及び太陽光発電パネル１１で発電された電気を蓄電するようになっている。
符号９は制御盤、１０は街灯、１２は通信用アンテナであり、電線の引かれていない山間地や海浜、小島等に配設することにより、携帯電話などの基地局の役割を果たすことができる。
【００１３】
縦長ブレード５は、図３以下に詳細に示す。右側面５Ｆは、図５に示すように、弦長は上下に同じ長さであり、ほぼ垂直な主部５Ａの横断面は図４に示すように、前縁５Ｄと後縁５Ｅは、縦主軸４を中心として回転する回転円弧Ｔ上になるように形成されている。
【００１４】
縦長ブレード５の上下の内向弧曲部５Ｂ、５Ｃの先端面５Ｈは、図３に示すように垂直であり、従って縦長ブレード５の左側面５Ｇ（回転時の内側面）は、図６に示すように、上下の内向弧曲部５Ｂ、５Ｃの先端面５Ｈが現れている。
【００１５】
この先端面５Ｈにおける、後縁５Ｅと前縁５Ｄを結ぶ迎角線Ｋは、水平に対して外向きに広がって迎角を示しており、この角度はブレードの厚さによって変化する。従って、この縦長ブレード５が回転すると、表面に沿って通過するコアンダ効果により、高速となって通過する流体は後縁５Ｅで内側に入り、縦長ブレード５を効率良く回転させる。
【００１６】
すなわち縦主軸４に近い部分は、遠心部におけるほぼ垂直な主部５Ａよりも、回転速度は遅いのであるが、本願発明においては、上下の内向弧曲部５Ｂ、５Ｃは、ほぼ垂直な主部５Ａよりも大きな迎角を持って、内側に流体を通過させることによって高速回転し、全体の回転速度を高めることが確認された。
【００１７】
図７は、図３における縦長ブレード５の背面図である。この図で明かなように、外見上では正面と変わらないが、図８、図９に断面を示すように、縦主軸４に近づくに従って、前縁５Ｄが外側へ傾斜して迎角を大きくしている。
ここにおいて、上下の内向弧曲部５Ｂ、５Ｃにおける左側面５Ｇは、水平線よりも内側へ入らないものとされる。
【００１８】
上下の内向弧曲部５Ｂ、５Ｃにおける内側基準線Ｓに対して、右側面５Ｇを通過する流体は、右側面の膨出が高いので、通過する流体のコアンダ効果による高速流は内側に入り、反作用で、縦長ブレード５は、回転方向に回転効率が高まる。
【００１９】
図１０は、本願発明縦軸ロータの実施例２を示す正面図である。前例と同じ部材には、同じ符号を付して説明を省略する。図１０における右側の縦長ブレード５が正面を示し、左側の縦長ブレード５は背面を示している。
【００２０】
この実施例２では、縦主軸４の長さが短いので、上部の取着部材６は、縦主軸４の上端に固定されていない。縦主軸４に固定された円盤状の中間取着部材７から放射方向へ突出する支持腕７Ａの先端が、縦長ブレード５のほぼ垂直な主部５Ａの内側面に固定されて、縦長ブレード５全体を支持している。
縦長ブレード５の横断面は、前例と同じく、上下の内向弧曲部５Ｂ、５Ｃの前縁は、ほぼ垂直な主部５Ａよりも大な迎角を持っている。
【００２１】
これによって、回転に伴い、上下の内向弧曲部５Ｂ、５Ｃの内外側面に沿って通過する気流は、縦主軸４に近い位置で、上方向または下方向へ、コアンダ効果により高速化されて内側向きに通過し、その反作用として、縦軸ロータ１は低速風においても、効率良く回転する。                         
【産業上の利用可能性】
【００２２】
この発明にかかる縦軸ロータ及び縦長ブレードは、低風速でも、効率のよい回転をするので、風力発電装置に使用して、高い効果をあげることができ、また水力発電装置に効率良く利用することができる。
【符号の説明】
【００２３】
１．縦軸ロータ
２．支柱
３．発電機
４．縦主軸
４Ａ．主部
４Ｂ．細軸
５．縦長ブレード
５Ａ．ほぼ垂直な主部
５Ｂ．上内向弧曲部
５Ｃ．下内向弧曲部
５Ｄ．前縁（正面）
５Ｅ．後縁（背面）
５Ｆ．右側面
５Ｇ．左側面
５Ｈ．先端面
６．取着部材
７．中間取着部材
８．環状取着部材
９．制御盤
１０．街灯
１１．太陽光発電器
１２．アンテナ
Ｋ．迎角線
Ｓ．内側基準線
Ｔ．回転円弧
【図１】
0006837468.tif 000002
【図２】
0006837468.tif 000003
【図３】
0006837468.tif 000004
【図４】
0006837468.tif 000005
【図５】
0006837468.tif 000006
【図６】
0006837468.tif 000007
【図７】
0006837468.tif 000008
【図８】
0006837468.tif 000009
【図９】
0006837468.tif 000010
【図１０】
0006837468.tif 000011